(57)【要約】      （修正有）【課題】ブラシとして床面を掃除することができるとともに、掃除布をブラシ本体に結合して、全体をモップとして床面又は壁面を掃除することが可能な多用途掃除用ブラシを提供する。【解決手段】ブラシ本体２１と、係止溝２２と、掃除布２３と、から構成され、ブラシ本体には、下方に延びるブラシ毛２１１が多数設けられており、ブラシ本体の上面には、ブラシ本体の移動を制御する握りロッド２４が設けられている多用途掃除用ブラシにおいて、ブラシ本体の上面の両側に複数の係止溝２２がそれぞれ設けられており、係止溝は複数のフレキシブルな定位片２２１を連結して構成され、各定位片は、その間に隙間が存在し、その中央に切り欠２２１１が形成されており、掃除布２３を係止することが可能である。【選択図】図２
0003196711.tif 000002
【実用新案登録請求の範囲】
【請求項１】
ブラシ本体と、係止溝と、掃除布と、から構成され、前記ブラシ本体には、下方に延びるブラシ毛が多数設けられており、前記ブラシ本体の上面には、前記ブラシ本体の移動を制御する握りロッドが設けられている多用途掃除用ブラシにおいて、
前記ブラシ本体の上面の両側に複数の前記係止溝がそれぞれ設けられており、前記係止溝は複数のフレキシブルな定位片を連結して構成され、前記各定位片は、その間に隙間が存在し、その中央に切り欠が形成されており、前記係止溝により、前記掃除布を係止することが可能であることを特徴とする多用途掃除用ブラシ。
【請求項２】
前記掃除布は、軟質布、ホコリ取り紙、紙ウエス、又は不織布を採用することを特徴とする、請求項１に記載の多用途掃除用ブラシ。
【請求項３】
前記握りロッドは、固定式、又は自在式を採用することを特徴とする、請求項１に記載の多用途掃除用ブラシ。
【考案の詳細な説明】
【技術分野】
【０００１】
本考案は、多用途掃除用ブラシに関し、特に、ブラシ本体の上面に設けられている係止溝により、掃除布をブラシ本体に結合して、全体をモップとして床面又は壁面を掃除することが可能な多用途掃除用ブラシに関するものである。
【背景技術】
【０００２】
従来の掃除用ブラシは、図１に示すように、ヘッド１を有し、ヘッド１の中央にジョイント１１が設けられており、ジョイント１１がある角度で傾斜しており、ジョイント１１によりヘッド１にハンドル１０を結合することが可能であり、ヘッド１の下面にブラシ毛１２が多数設けられている。ジョイント１１の傾斜により、ユーザがハンドル１０を握って床面を掃除しているときに、ブラシ毛１２が床面にほぼ垂直する。これにより、掃除用ブラシにより、床面を掃除することが可能である。しかし、床面を掃除しているときには、床面に水を注がないと、床面を清潔に掃除することができない。
【０００３】
また、床面を掃除した後、床面（特に、浴室）が湿ったため、ユーザが滑って倒れる虞があり、そして臭いが生じやすい。この問題を解決するために、通気ファンを起動し、又はモップにより床面の水分を除去することが一般的である。しかし、モップにより床面の水分を除去する場合には、バケツを用意することが必要であり、そしてモップが湿ると床面の水分を確実に除去することができなくなる。
【考案の概要】
【考案が解決しようとする課題】
【０００４】
本考案の主な目的は、ブラシ本体の上面に設けられている係止溝により、掃除布をブラシ本体に結合して、全体をモップとして床面又は壁面を掃除することが可能な多用途掃除用ブラシを提供することにある。
【課題を解決するための手段】
【０００５】
本考案の多用途掃除用ブラシによると、ブラシ本体と、係止溝と、掃除布と、から構成され、ブラシ本体には、下方に延びるブラシ毛が多数設けられており、ブラシ本体の上面には、ブラシ本体の移動を制御する握りロッドが設けられている多用途掃除用ブラシにおいて、
ブラシ本体の上面の両側に複数の係止溝がそれぞれ設けられており、係止溝は複数のフレキシブルな定位片を連結して構成され、各定位片は、その間に隙間が存在し、その中央に切り欠が形成されており、係止溝により、掃除布を係止することが可能であることを特徴とする。
【０００６】
本考案の多用途掃除用ブラシによると、掃除布は、軟質布、ホコリ取り紙、紙ウエス、又は不織布を採用することを特徴とする。
【０００７】
本考案の多用途掃除用ブラシによると、握りロッドは、固定式、又は自在式を採用することを特徴とする。
【考案の効果】
【０００８】
本考案の多用途掃除用ブラシによれば、次のような効果がある。
（１）ブラスとして床面を掃除することが可能である他、ブラシ本体の上面に設けられている係止溝により、掃除布をブラシ本体に結合して、全体をモップとして、床面にある水分及びゴミを除去し、又は壁面を掃除することが可能である。利用が極めて便利である。
【０００９】
（２）掃除布が軟質な布を採用する場合には、掃除布を洗浄して次回の掃除作業に再利用することが可能であるため、地球環境の保全に優しい。
【図面の簡単な説明】
【００１０】
【図１】従来の掃除用ブラシを示す斜視図である。
【図２】本考案の実施例を示す分解斜視図である。
【図３】本考案の実施例に掃除布を係止する方法を示す模式図１である。
【図４】本考案の実施例に掃除布を係止する方法を示す模式図２である。
【図５】本考案の実施例の組付け方法を示す模式図である。
【図６】本考案の別の実施例を示す斜視図である。
【図７】本考案の実施例により壁面を掃除する状態を示す図である。
【図８】本考案の握りロッドの別の実施例を示す図である。
【考案を実施するための最良の形態】
【００１１】
以下、本考案の実施の形態を図面に基づいて説明する。
【００１２】
図２を参照する。図２は本考案の実施例を示す分解斜視図である。本実施例の多用途掃除用ブラシは、ブラシ本体２１と、係止溝２２と、掃除布２３と、から構成される。ブラシ本体２１には、下方に延びるブラシ毛２１１が多数設けられている。ブラシ本体２１の上面には、ブラシ本体２１の移動を制御する握りロッド２４が設けられている。ブラシ本体２１の上面の両側に複数の係止溝２２がそれぞれ設けられている。係止溝２２は、複数のフレキシブルな定位片２２１を連結して構成される。各定位片２２１は、その間に隙間が存在し、その中央に切り欠２２１１が形成されている。係止溝２２により、掃除布２３を係止することが可能である。
【００１３】
係止溝２２に掃除布２３を係止したいときには、図３及び図４に示すように、係止溝２２の上に掃除布２３を置いて、定位片２２１の切り欠２２１１に掃除布２３を押し込むことにより、掃除布２３が両側の定位片２２１に挟まれて止められる。このように、掃除布２３が係止溝２２に係止されて固定する。
【００１４】
図５を参照する。図５は本考案の実施例の組付け方法を示す模式図である。掃除布２３を組み付けたいときには、図５に示すように、まず、掃除布２３の一側を係止溝２２に押し込んで係止して、掃除布２３がブラシ毛２１１をカバーするように、掃除布２３の他側を係止溝２２に押し込んで係止する。このとき、掃除布２３がブラシ毛２１１をカバーするため、掃除用ブラシ２をモップとして利用することが可能である。
【００１５】
図５を参照する。掃除用ブラシ２に掃除布２３が取り付けられていないときには、掃除用ブラシ２の底部にブラシ毛２１１が露呈する。このとき、ブラシ毛２１１により、床面にある水及びゴミを掃除することが可能である。ブラシ毛２１１によって掃除した後、床面が湿った状態にある場合には、ブラシ本体２１の係止溝２２に掃除布２３を押し込んで係止すると、掃除布２３により湿った床面を拭くことが可能である。床面を拭いた掃除布２３をブラシ本体２１から取り外して洗浄すると、後の掃除作業に再利用することが可能である。このように、掃除用ブラシ２は、ブラスとして床面を掃除することが可能である他、モップとして床面にある水分及びゴミを除去することが可能であると共に、掃除布２３を洗浄して後の掃除作業に再利用することが可能であり、利用が極めて便利である。
【００１６】
図５及び図６を参照する。図６は本考案の別の実施例を示す斜視図である。掃除布２３は、洗浄して再利用可能な軟質布、ディスポーザブルである、ホコリ取り紙２３１、紙ウエス、又は不織布を採用する。掃除布２３は、これらの何れかを採用しても、係止溝２２に押し込んで係止して、ブラシ本体２１に固定することが可能である。ブラシ本体２１にホコリ取り紙２３１を組み付けると、掃除用ブラシ２を箒として床面を掃除することが可能である。これにより、床面のホコリをホコリ取り紙２３１に粘着して床面から除去することが可能である。そして、掃除用ブラシ２により、図７に示すように、壁面４を掃除することが可能である。このように、梯子を利用せず、壁面４を掃除することが可能であるため、利用可能の用途が極めて多い。
【００１７】
本実施例では、掃除用ブラシ２は、図６に示すように、自在式の握りロッド２４を採用する他、図８に示すように、固定式握りロッド２４１を採用してもよい。固定式握りロッド２４１を採用することにより、固定式握りロッド２４１がブラシ本体２１に対して傾斜するため、壁のコーナーを掃除することが可能である。そしてブラシ本体２１に掃除布２３を取り付けると、掃除用ブラシ２をモップとして利用することが可能である。
【産業上の利用可能性】
【００１８】
本考案は、掃除用ブラシに適用することができる。
【符号の説明】
【００１９】
１  ヘッド
２  掃除用ブラシ
４  壁面
１０  ハンドル
１１  ジョイント
１２  ブラシ毛
２１  ブラシ本体
２２  係止溝
２３  掃除布
２４  握りロッド
２１１  ブラシ毛
２２１  定位片
２３１  ホコリ取り紙
２４１  固定式握りロッド
２２１１  切り欠
【図１】
0003196711.tif 000003
【図２】
0003196711.tif 000004
【図３】
0003196711.tif 000005
【図４】
0003196711.tif 000006
【図５】
0003196711.tif 000007
【図６】
0003196711.tif 000008
【図７】
0003196711.tif 000009
【図８】
0003196711.tif 000010